(57)【要約】【課題】  保護リレーの整定を確実に変更することを可能にするリレー整定変更システムおよびリレー整定変更方法を提供する。【解決手段】  配電線１１０に設けられた区間開閉器ＤＭ１〜ＤＭ６と、配電線１１０を監視する過電流リレーＯＣ１、ＯＣ２とを備え、区間開閉器ＤＭ１〜ＤＭ６の入り切りにより配電線１１０の区分けで形成された系統を変更したときのリレー整定変更システムであって、配電線１１０の系統の変更を所定期間ごとに監視して、系統の変更を検出すると、変更された系統の線路定数を基に過電流リレーＯＣ１、ＯＣ２の整定値を算出し、算出結果を基にして過電流リレーＯＣ１、ＯＣ２の整定の変更指示を出す管理装置１０を備える。【選択図】  図１
2010284047.tif 000002
【特許請求の範囲】
【請求項１】
配電線に少なくとも１つ設けられた開閉器と、前記配電線を監視する保護リレーとを備え、前記開閉器の入り切りにより前記配電線の区分けで形成された系統を変更したときのリレー整定変更システムであって、
前記配電線の系統の変更を所定期間ごとに監視して、前記系統の変更を検出すると、変更された系統の線路定数を基に前記保護リレーの整定値を算出し、算出結果を基にして前記保護リレーの整定の変更指示を出す管理装置を備えることを特徴とするリレー整定変更システム。
【請求項２】
前記管理装置は、前記保護リレーおよび前記開閉器の少なくとも一方の動作を基にして、前記配電線の系統の変更を監視する、
ことを特徴とする請求項１に記載のリレー整定変更システム。
【請求項３】
前記管理装置は、前記保護リレーの算出した整定値と、現在の整定値とを比較し、整定値に変化があると、前記保護リレーに対して変更指示を出す、
ことを特徴とする請求項１または２に記載のリレー整定変更システム。
【請求項４】
配電線に少なくとも１つ設けられた開閉器と、前記配電線を監視する保護リレーと利用し、前記開閉器の入り切りにより前記配電線の区分けで形成された系統を変更したときのリレー整定変更方法であって、
前記配電線の系統の変更を所定期間ごとに監視して、前記系統の変更を検出すると、変更された系統の線路定数を基に前記保護リレーの整定値を算出し、
算出結果を基にして前記保護リレーの整定の変更指示を出す、
ことを特徴とするリレー整定変更方法。
【発明の詳細な説明】
【技術分野】
【０００１】
この発明は、保護リレーの整定値を変更するリレー整定変更システムおよびリレー整定変更方法に関する。
【背景技術】
【０００２】
電気の供給を受ける需要家の設備などに接続されている配電系統は、各地域に電気を安定して送る。このために、配電系統には事故等に対処するための措置が取られている。例えば、図７に示す配電系統の場合、Ａ変電所とＢ変電所との間に敷設されている配電線１１０には、所定の区間ごとに区間開閉器ＤＭ１〜ＤＭ６が設置されている。また、Ａ変電所には、配電線１１０に設けられている変流器ＣＴ１の測定結果を基に、配電線１１０の事故等を検出する過電流リレー（短絡リレー）ＯＣ１が設置されている。Ｂ変電所にも同様の過電流リレーＯＣ２と変流器ＣＴ２とが設置されている。この他にも、Ａ変電所とＢ変電所とには、図示を省略しているが、過電流リレーＯＣ１、ＯＣ２からのトリップ信号で動作する遮断器などが設置されている。
【０００３】
こうした配電系統では、区間開閉器ＤＭ１〜ＤＭ６の入り切りにより配電線１１０を区分して、電力を供給するための最適な系統が決められる。例えば、区間開閉器ＤＭ４が「切り」になると、Ａ変電所からの区間開閉器ＤＭ４までの系統と、Ｂ変電所から区間開閉器ＤＭ４までの系統が形成される。これにより、特定の区間に大きな電流が流れることなどを防いでいる。また、配電線１１０の最適な系統を自動で作成する装置も提案されている（例えば、特許文献１参照。）。
【０００４】
ところで、配電系統に設けられている保護リレー、例えば過電流リレーＯＣ１、ＯＣ２の整定を変更する業務は、定期点検などのように、前もって計画された配電線作業がある場合に主に行われる。過電流リレーＯＣ１、ＯＣ２のタップ整定および時限整定を変更するとき、制御所の担当者は、区域単位で配電設備等の管理を行っている営業所に対して、現時点の常時系統での線路定数等を確認する。この後、制御所の担当者は、営業所から得た線路定数等を基にして、過電流リレーＯＣ１、ＯＣ２の整定値の案を作成し、営業所に伝える。営業所の担当者は、現在の整定値を確認し、値がずれている場合に整定値を変更する。過電流リレーＯＣ１、ＯＣ２に対して行われる、こうした整定の変更業務により、配電線１１０の系統に変更があっても、無保護区間の発生を防いでいる。
【先行技術文献】
【特許文献】
【０００５】
【特許文献１】特開２００４−１２９４０４号公報
【発明の概要】
【発明が解決しようとする課題】
【０００６】
しかし、保護リレーの整定を変更するためには、先に述べたように、制御所と営業所との各担当者が連絡を頻繁に行う必要がある。また、整定の変更は、前もって計画された配電線作業がある場合に、主に行われる。例えば配電線作業のために、区間開閉器ＤＭ１〜ＤＭ６の切り換え変更があった場合には、保護リレーによっては保護区間が変わる場合もある。さらに、先に述べた、電力を供給するための最適な系統を作成する装置でも、短絡保護不能区間の解消は、人間系により設定された整定値に変更することにより行われている。
【０００７】
この発明の目的は、前記の課題を解決し、保護リレーの整定を確実に変更することを可能にするリレー整定変更システムおよびリレー整定変更方法を提供することにある。
【課題を解決するための手段】
【０００８】
前記の課題を解決するために、請求項１の発明は、配電線に少なくとも１つ設けられた開閉器と、前記配電線を監視する保護リレーとを備え、前記開閉器の入り切りにより前記配電線の区分けで形成された系統を変更したときのリレー整定変更システムであって、前記配電線の系統の変更を所定期間ごとに監視して、前記系統の変更を検出すると、変更された系統の線路定数を基に前記保護リレーの整定値を算出し、算出結果を基にして前記保護リレーの整定の変更指示を出す管理装置を備えることを特徴とするリレー整定変更システムである。
【０００９】
請求項１の発明では、リレー整定変更システムには、配電線に少なくとも１つ設けられた開閉器と、配電線を監視する保護リレーとが備えられている。また、リレー整定変更システムは、開閉器の入り切りにより配電線の系統を変更したときのためのものである。リレー整定変更システムの管理装置は、配電線の系統の変更を所定期間ごとに監視する。管理装置は、系統の変更を検出すると、変更された系統の線路定数を基に保護リレーの整定値を算出する。そして、管理装置は、算出結果を基にして保護リレーの整定の変更指示を出す。
【００１０】
請求項２の発明は、請求項１に記載のリレー整定変更システムにおいて、前記管理装置は、前記保護リレーおよび前記開閉器の少なくとも一方の動作を基にして、前記配電線の系統の変更を監視する、ことを特徴とする。
【００１１】
請求項３の発明は、請求項１または２に記載のリレー整定変更システムにおいて、前記管理装置は、前記保護リレーの算出した整定値と、現在の整定値とを比較し、整定値に変化があると、前記保護リレーに対して変更指示を出す、ことを特徴とする。
【００１２】
請求項４の発明は、配電線に少なくとも１つ設けられた開閉器と、前記配電線を監視する保護リレーと利用し、前記開閉器の入り切りにより前記配電線の区分けで形成された系統を変更したときのリレー整定変更方法であって、前記配電線の系統の変更を所定期間ごとに監視して、前記系統の変更を検出すると、変更された系統の線路定数を基に前記保護リレーの整定値を算出し、算出結果を基にして前記保護リレーの整定の変更指示を出す、ことを特徴とするリレー整定変更方法である。
【発明の効果】
【００１３】
請求項１および請求項４の発明によれば、系統の変更を検出すると、保護リレーの整定値の算出結果を基にして保護リレーの整定の変更指示を出すので、配電線に系統の変更が発生しても、保護リレーの整定を確実に変更することができる。これにより、例えば保護リレーによる短絡保護不能区間が発生することを防ぐことが可能である。
【００１４】
請求項２の発明によれば、保護リレーや開閉器の動作を基にして、配電線の系統の変更を監視するので、系統の変更を確実に検出することが可能である。
【００１５】
請求項３の発明によれば、整定値に変化があると、保護リレーに対して変更指示を出すので、自動でリレー整定の変更を行うことを可能にする。
【図面の簡単な説明】
【００１６】
【図１】この発明の実施の形態によるリレー整定変更システムを示す構成図である。
【図２】各区間の線路定数を示す図である。
【図３】線路定数情報を示す図である。
【図４】区間開閉器情報を示す図である。
【図５】整定変更処理を示すフローチャートである。
【図６】配電線系統を示す図であり、図６（ａ）は１つの区間開閉器が「切り」である状態を示す図、図６（ｂ）は別の区間開閉器が「切り」である状態を示す図である。
【図７】配電系統の一例を示す構成図である。
【発明を実施するための形態】
【００１７】
次に、この発明の実施の形態について、図面を用いて詳しく説明する。以下の実施の形態では、保護リレーが過電流リレーである場合を例として説明する。
【００１８】
この実施の形態によるリレー整定変更システムの一例を図１に示す。図１のリレー整定変更システムは、管理センタに設置されている管理装置１０と、配電系統のＡ変電所に設置されている過電流リレーＯＣ１および通信装置２０１と、Ｂ変電所に設置されている過電流リレーＯＣ２および通信装置２０２とで構成されている。通信網ＮＷは、管理装置１０と、通信装置２０１および通信装置２０２との間のデータの送受信を可能にする。通信装置２０１は、Ａ変電所と管理センタとの間のデータ伝送を行い、通信装置２０２は、Ｂ変電所と管理センタとの間のデータ伝送を行う。
【００１９】
図１の配電系統には、Ａ変電所とＢ変電所との間に配電線１１０が敷設されている。配電系統の配電線１１０には、所定区間ごとに区間開閉器ＤＭ１〜ＤＭ６が設置されている。これにより、図２に示すように、各区間ＳＥ１〜ＳＥ９の線路定数が、
Ｒ１＋ｊＸ１、…、Ｒ９＋ｊＸ９
Ｒ１、…、Ｒ９：各区間の抵抗成分
Ｘ１、…、Ｘ９：各区間のリアクタンス成分
となっている。なお、図２では、図面の記載を簡略にするために、Ａ変電所およびＢ変電所の過電流リレーＯＣ１および過電流リレーＯＣ２等の記載を省略している。この配電系統では、例えば区間開閉器ＤＭ４が「入り」になると、区間ＳＥ４と区間ＳＥ５とが接続され、区間開閉器ＤＭ４が「切り」になると切り離される。このとき、Ａ変電所から区間開閉器ＤＭ４までの一方の系統と、Ｂ変電所から区間開閉器ＤＭ４までの他方の系統が形成される。
【００２０】
Ａ変電所の過電流リレーＯＣ１は、配電線１１０に設けられている変流器ＣＴ１の測定結果を基に、配電線１１０の一方の系統の事故等を検出する。同様に、Ｂ変電所の過電流リレーＯＣ２は、変流器ＣＴ１の測定結果を基に、配電線１１０の他方の系統の事故等を検出する。
【００２１】
過電流リレーＯＣ１および過電流リレーＯＣ２はデジタル型のリレーであり、配電線１１０に過電流が流れると、トリップ信号等を出力する。このトリップ信号により、Ａ変電所やＢ変電所に設置されている遮断器（図示を省略）が動作する。また、配電系統には、過電流リレー（ＯＣ）の他にも、地絡過電圧リレー（ＯＶＧ）、不足電圧リレー（ＵＶ）、方向地絡リレー（ＤＧ）などが必要に応じて設置されている。配電系統に設置されている過電流リレーＯＣ１には、整定タップと時限レバーが設けられている。整定タップは過電流リレーＯＣ１の動作電流を調整するための装置であり、時限レバーは過電流リレーＯＣ１の動作時間を調整するための装置である。過電流リレーＯＣ２についても同様に整定タップと時限レバーが設けられている。
【００２２】
管理センタは、過電流リレーＯＣ１および過電流リレーＯＣ２などの、配電系統に設置されているリレー等の管理を行う。この管理を行うために、管理センタには管理装置１０が設置されている。管理装置１０は、処理装置１１と、系統定数データベース（ＤＢ）１２と、区間開閉器データベース（ＤＢ）１３とを備えている。系統定数データベース１２は、配電系統の各区間の線路定数を、線路定数情報として記憶している。つまり、図３に示すように、配電線１１０の各区間ＳＥ１〜ＳＥ９の線路定数Ｒ１＋ｊＸ１、…、Ｒ９＋ｊＸ９も、系統定数データベース１２に記憶されている。線路定数情報は、配電線の交換等が発生した場合などに更新される。
【００２３】
区間開閉器データベース１３は、配電線１１０に設置されている区間開閉器ＤＭ１〜ＤＭ６の「入り」または「切り」の状態を、区間開閉器情報として記憶している。この区間開閉器情報の一例を図４に示す。図４の区間開閉器情報には、区間開閉器ＤＭ１〜ＤＭ６の「入り」または「切り」の状態や、他の区間開閉器の状態が記憶されている。
【００２４】
処理装置１１は、系統定数データベース１２および区間開閉器データベース１３を最新の状態に保つ。このために、処理装置１１は、配電線の交換等が発生した場合などに線路定数情報を更新する。また、処理装置１１は区間開閉器情報の更新を行う。つまり、区間開閉器ＤＭ１〜ＤＭ６の開閉状態が変わると、処理装置１１は区間開閉器情報を更新し、区間開閉器情報を常に最新の状態に保つ。この場合、処理装置１１は、区間開閉器ＤＭ１〜ＤＭ６の開閉状態を、例えば配電自動化システム（図示を省略）や営業所のコンピュータ（図示を省略）から得る。配電自動化システムは事故等の発生を監視している。そして、事故が発生すると、配電自動化システムは事故区間の切り離し等を行い、事故の発生などに対して迅速に対応する。また、配電自動化システムは、区間開閉器ＤＭ１〜ＤＭ６を遠方から開閉する制御も行う。
【００２５】
また、処理装置１１は、過電流リレーＯＣ１、ＯＣ２の整定を変更するための処理をする。このために、処理装置１１は図５に示す整定変更処理を所定間隔で繰り返して行う。処理装置１１は、整定変更処理を開始すると、区間開閉器情報と事故情報を参照する（ステップＳ１）。ステップＳ１で、処理装置１１は、区間開閉器データベース１３から区間開閉器情報を得る。また、処理装置１１は、配電自動化システムなどから事故情報を得る。
【００２６】
ステップＳ１の後、処理装置１１は、配電線１１０の系統に変更があるか、どうかを判断する（ステップＳ２）。つまり、配電線１１０には区間開閉器ＤＭ１〜ＤＭ６が設けられている。このとき、例えば図６（ａ）に示すように、区間開閉器ＤＭ４が「切り」の状態になっているとき、区間ＳＥ１〜ＳＥ４と区間ＳＥ８とにより、配電線１１０に一方の系統が形成される。区間ＳＥ５〜ＳＥ７と区間ＳＥ９とにより、配電線１１０に他方の系統が形成される。
【００２７】
この状態から、例えば図６（ｂ）に示すように、区間開閉器ＤＭ４が「入り」になり、区間開閉器ＤＭ２が「切り」になると、区間ＳＥ１およびＳＥ２と区間ＳＥ８とにより、配電線１１０に一方の系統が形成され、区間ＳＥ３〜ＳＥ７と区間ＳＥ９とにより、配電線１１０に別の系統が形成される。つまり、区間開閉器ＤＭ４から区間開閉器ＤＭ２に「切り」の状態が変わると、配電線１１０の系統に変化が発生する。
【００２８】
配電線１１０の系統の変化は、配電線１１０に対する作業や、配電線１１０での事故などで発生する。特に、配電線１１０に事故が発生すると、区間開閉器の「切り」と「入り」とが短時間で頻繁に発生する場合がある。このために、処理装置１１は、配電自動化システムから事故情報を得た場合には、あらかじめ決められた時間が経過したときに、区間開閉器ＤＭ１〜ＤＭ６の区間開閉器情報を基にステップＳ２の処理を行う。事故情報は、Ａ変電所およびＢ変電所に設置されている過電流リレーＯＣ１、ＯＣ２から得ることができる。また、過電流リレーＯＣ１、ＯＣ２の他にも、地絡過電圧リレー（ＯＶＧ）、不足電圧リレー（ＵＶ）、方向地絡リレー（ＤＧ）などから得ることができる。
【００２９】
ステップＳ２が終了すると、処理装置１１は、過電流リレーのタップ計算、つまり、過電流リレーの電流整定タップの整定値を計算する（ステップＳ３）。ステップＳ３で、処理装置１１は、設備容量などを基にして、リレー電流ＩＲｙ１を次の式から算出する。
ＩＲｙ１＝設備容量（Ａ）×倍率（％）÷ＣＴ比
この式の設備容量は、この実施の形態では配電線１１０の許容電流であり、倍率は、過電流リレーの誤動作を防止するための安全率である。ＣＴ比は、変流器の変流比である。そして、処理装置１１は、
タップ範囲≧ＩＲｙ
という条件で電流整定タップを選択する。なお、この実施の形態では、処理装置１１は過電流リレーＯＣ１、ＯＣ２について、ステップＳ３の処理を行う。
【００３０】
ステップＳ３が終了すると、処理装置１１は、過電流リレーの動作確認をする（ステップＳ４）。この実施の形態では、処理装置１１は、配電線末端における２相短絡の場合に、過電流リレーに流れるリレー電流ＩＲｙ２を、次の式で算出する。
ＩＲｙ２＝定格Ａ×１００÷（ＺＯ（ｍｉｎ）＋ＺＴ＋ＺＬ）÷
ＣＴ比×√３／２
この式で、ＺＯ（ｍｉｎ）は最小の背後電源であり、ＺＴは変圧器のインピーダンスである。また、ＺＬは、区間開閉器までの最大となる配電線インピーダンスである。例えば、区間開閉器ＤＭ４が「切り」の状態になっているときには、一方の系統のＺＬは、
ＺＬ＝（Ｒ１＋ｊＸ１）＋（Ｒ２＋ｊＸ２）＋（Ｒ３＋ｊＸ３）＋
（Ｒ４＋ｊＸ４）
または、
ＺＬ＝（Ｒ１＋ｊＸ１）＋（Ｒ２＋ｊＸ２）＋（Ｒ８＋ｊＸ８）
となる。他方の系統のＺＬは、
ＺＬ＝（Ｒ５＋ｊＸ５）＋（Ｒ６＋ｊＸ６）＋（Ｒ７＋ｊＸ７）
または、
ＺＬ＝（Ｒ６＋ｊＸ６）＋（Ｒ７＋ｊＸ７）＋（Ｒ９＋ｊＸ９）
となる。そして、配電線の系統に変化が発生すると、この変化は値ＺＬに反映されることになる。そして、処理装置１１は、電流整定タップによる過電流リレーの整定値とリレー電流ＩＲｙ２とを比較することにより、過電流リレーが動作するか、どうかを確認する。
【００３１】
また、処理装置１１は、ステップＳ４で、次の式によりタップ倍率を算出する。
タップ倍率＝ＩＲｙ２／電流整定タップ
なお、この実施の形態では、処理装置１１は過電流リレーＯＣ１、ＯＣ２について、ステップＳ４の処理を行う。
【００３２】
ステップＳ４が終了すると、処理装置１１は、ステップＳ４による過電流リレーの動作確認から、過電流リレーが動作するか、どうかを判断する（ステップＳ５）。このとき、処理装置１１はタップ倍率が１５０（％）以上であるか、どうかも確認する。ステップＳ５で、過電流リレーが動作しないと判断すると、処理装置１１は、タップ倍率が１５０（％）以上となる、別の電流整定タップを選択する（ステップＳ６）。
【００３３】
ステップＳ５で過電流リレーが動作すると判断した場合には、処理装置１１は、ステップＳ３で選定した電流整定タップによる値を過電流リレーの整定値に決定し、ステップＳ６で電流整定タップを選択した場合には、このタップによる値を過電流リレーの整定値に決定する（ステップＳ７）。
【００３４】
ステップＳ７が終了すると、処理装置１１は、現在の時限レバーで、配電線１１０の引出し出口における３相短絡で、過電流リレーの時限動作を確認する（ステップＳ８）。ステップＳ８の時限動作として例えば０．２秒動作がある。ステップＳ８による過電流リレーの動作確認から、過電流リレーが時限動作をするか、どうかを判断する（ステップＳ９）。ステップＳ９で、過電流リレーが時限動作をしないと判断すると、処理装置１１は、別の時限レバー、例えば時限が０．２秒であるとき、０．２秒もしくは０．２秒以上で最も０．２秒に近い時限レバーを選択する（ステップＳ１０）。
【００３５】
ステップＳ９で過電流リレーが動作すると判断した場合には、処理装置１１は、現在の時限レバーによる値を過電流リレーの整定値に決定し、ステップＳ１０で別の時限レバーを選択した場合には、このレバーによる値を過電流リレーの整定値に決定する（ステップＳ１１）。
【００３６】
ステップＳ１１が終了すると、処理装置１１は、現在の電流整定タップおよび時限レバーによる整定値と、ステップＳ７およびＳ１１で決定された電流整定タップおよび時限レバーによる整定値とを比較し（ステップＳ１２）、整定値が変わっているか、どうかを判断する（ステップＳ１３）。整定値が変わっていれば、処理装置１１は、通信網ＮＷと通信装置２０１、２０２を経て、過電流リレーＯＣ１および過電流リレーＯＣ２に対して整定値の変更指示を出し（ステップＳ１４）、整定変更処理を終了する。また、ステップＳ２で配電線１１０の系統に変更がない場合、ステップＳ１２で整定値に変化がない場合には、処理装置１１は整定変更処理を終了する。
【００３７】
この後、処理装置１１は、内蔵するタイマー機能を利用して所定時間が経過したかどうかを調べ、所定時間が経過すると、整定変更処理を行う。つまり、先に述べたように、処理装置１１は整定変更処理を所定間隔で繰り返して行う。
【００３８】
次に、この実施の形態によるリレー整定変更システムを用いたリレー整定変更方法について説明する。管理センタの管理装置１０は整定変更処理を所定間隔で繰り返して行う。つまり、管理装置１０は、先に述べたステップＳ１およびステップＳ２により、配電線１１０の各系統の現状確認を行う。系統に変更があると、管理装置１０は、先に述べたステップＳ３〜Ｓ７により、電流整定タップによる整定値を決定して、タップ整定を行う。次に、管理装置１０は、先に述べたステップＳ８〜Ｓ１１により、時限レバーによる整定値を決定して、時限整定を行う。この後、先に述べたステップＳ１２〜Ｓ１４により、整定値に変化があると、管理装置１０は整定変更を行う。
【００３９】
このような整定変更処理により、例えば先の図６に示すように、配電線１１０に対する作業や配電線１１０に対する鳥害などの事故により、「切り」の状態が区間開閉器ＤＭ４から区間開閉器ＤＭ２に変更された場合に、この変更は過電流リレーＯＣ１および過電流リレーＯＣ２のタップ整定に反映されることになる。
【００４０】
このように、この実施の形態によれば、整定変更処理を所定間隔ごとに繰り返して行うので、配電線１１０の系統に変更が生じても、この変更が過電流リレーＯＣ１および過電流リレーＯＣ２の整定に確実に反映される。これにより、配電線１１０において、例えば無保護区間の発生を確実に防ぐことができる。さらに、この実施の形態によれば、通信網ＮＷと、通信装置２０１、２０２とを用いることにより、配電線１１０の系統に変更が発生しても、過電流リレーＯＣ１および過電流リレーＯＣ２の整定に、この変更を自動で反映させることができる。
【００４１】
以上、この発明の実施の形態を詳述してきたが、具体的な構成はこの実施の形態に限られるものではなく、この発明の要旨を逸脱しない範囲の設計の変更等があっても、この発明に含まれる。この実施の形態では、整定変更処理のステップＳ１４で、通信網ＮＷを経て、過電流リレーＯＣ１および過電流リレーＯＣ２に変更指示を送信し、過電流リレーＯＣ１および過電流リレーＯＣ２が変更指示を基にして整定を自動で行った。しかし、Ａ変電所およびＢ変電所において、担当者が変更指示を基にして整定値の変更を行うようにしてもよい。
【産業上の利用可能性】
【００４２】
この発明は、過電流リレーに限らず、すべての保護リレーに利用可能である。
【符号の説明】
【００４３】
１０  管理装置
１１  処理装置
１２  系統定数データベース
１３  区間開閉器データベース
２０１、２０２  通信装置
ＯＣ１、ＯＣ２  過電流リレー
ＣＴ１、ＣＴ２  変流器
ＤＭ１〜ＤＭ６  区間開閉器
【図１】
2010284047.tif 000003
【図２】
2010284047.tif 000004
【図３】
2010284047.tif 000005
【図４】
2010284047.tif 000006
【図５】
2010284047.tif 000007
【図６】
2010284047.tif 000008
【図７】
2010284047.tif 000009